(57)【特許請求の範囲】
【請求項１】
オペレータによって操作される、貨幣の入出金処理を行う貨幣入出金装置と、金銭の登録および前記貨幣入出金装置に対し貨幣の入出金処理を行わせる金銭登録機とを具有する貨幣入出金処理システムにおいて、
販売額、振込額等の必要入金額を決定する必要入金額決定手段と、
オペレータが顧客から預かった貨幣である預かり貨幣の金額を入力する預かり金額入力手段と、
オペレータにより投入された入金貨幣を受入れて１枚ずつ繰込む入金繰込み部と、
この入金繰込み部から繰込まれた貨幣を識別する入金識別部と、
この入金識別部で入金可と識別された貨幣を収納するとともに１枚ずつ繰出すことができる複数の収納部と、
これら複数の収納部から繰出される貨幣を外部から取出し可能に保持する出金部と、
預かり貨幣を入金したのちに釣貨幣を出金する入金優先モード、釣貨幣を出金したのちに預かり貨幣を入金する出金優先モードを切換える入出金優先モード切換手段と、
この入出金優先モード切換手段により入金優先モードが指定されたときは、オペレータにより投入され前記入金識別部で入金可と識別された入金貨幣の金額と前記必要入金額決定手段により決定された必要入金額とを比較して釣貨幣を算出し前記収納部から必要な釣貨幣を出金させ、出金優先モードが指定されたときは前記預かり金額入力手段によって入力された預かり貨幣の金額と前記必要入金額決定手段により決定された必要入金額とを比較して釣貨幣を算出し、前記収納部から必要な釣貨幣を出金させる制御部とを具備することを特徴とする貨幣入出金処理システム。
【請求項２】
オペレータの種別を判別するオペレータ判別手段を有し、前記モード切換手段が前記オペレータ判別手段により判別されたオペレータの種別によって前記入金優先モードと出金優先モードとを切換えるようになされている請求項１記載の貨幣入出金処理システム。
【請求項３】
前記入金優先モードの時間帯と出金優先モードの時間帯とを予め設定して記憶する時間帯設定手段を有し、前記モード切換手段が前記時間帯設定手段により設定された時間帯によって入金優先モードと出金優先モードとを切換えるようになされている請求項１記載の貨幣入出金処理システム。
【請求項４】
入金された貨幣の金額に対し入金承認指示または返却指示を行う承認手段を有し、前記制御部は、前記モード切換手段により入金優先モードが指定されたときは前記入金識別部で入金可と識別された入金貨幣を前記複数の収納部の一つに一時保留し、前記承認手段により入金承認指示が行われたとき他の複数の収納部へ金種別に収納させ、出金優先モードが指定されたときは入金貨幣を一時保留することなく直接複数の収納部へ金種別に収納させる制御を行うようにされている請求項１〜３のいずれか１項記載の貨幣入出金処理システム。
【発明の詳細な説明】
【０００１】
【発明の属する技術分野】
本発明は、金融機関や交通機関の窓口、あるいはスーパーマーケット等の精算所において紙幣や硬貨の入金処理および出金処理を行う貨幣入出金処理システムに関する。
【０００２】
【従来の技術】
金融機関や交通機関の窓口、あるいはスーパーマーケット等の精算所においては、紙幣や硬貨の入出金処理を機械的に自動処理するような貨幣入出金処理システムが導入されている。
【０００３】
上記貨幣入出金処理システムは、紙幣の入出金処理を行う紙幣入出金装置と、硬貨の入出金処理を行う硬貨入出金装置と、販売額や振込額等の金額を登録するとともに紙幣入出金装置および硬貨入出金装置に対して入出金処理を行わせる金銭登録機とで構成され、この金銭登録機はスーパーマーケット等の精算所においてはＰＯＳレジスタがその機能を持ち、また金融機関や交通機関の窓口においてはテラーズマシンがその機能を持つようになされている。
【０００４】
前記紙幣入出金装置および硬貨入出金装置は、一般に入金貨幣を受入れて１枚ずつ繰込む入金繰込み部と、繰込まれた貨幣を搬送しつつ識別する入金識別部と、この識別部で入金可と識別された貨幣を金種別に収納するとともに１枚ずつ繰出すことができる金種別収納部と、この金種別収納部から繰出された貨幣を外部から取出し可能に投出する出金部とを少くとも有しており、入金貨幣の一時保留部については装置の運用仕様に応じ設けられる場合と設けられない場合とがある。
【０００５】
すなわちスーパーマーケット等の精算所で使用される場合は、顧客から預った貨幣を、釣銭を支払って顧客が承認するまでの取引終了まで顧客から見える位置に一時保管しておくという運用が多く、このような運用の場合にはその保管位置が一時保留部として機能し、貨幣の入金時には返却の必要がなくなるため装置内には入金貨幣の一時保留部を設けずに入金貨幣を金種別収納部へ直接収納するようになされている。
【０００６】
他方、金融機関等の窓口で使用される場合は、入金される貨幣の量が多いこともあって、入金貨幣を装置内で識別・計数して入金額を確認し、その金額が承認されれば金種別収納部へ分類収納し、承認されないときは返却するようになっており、そのため装置内には必ず入金貨幣の一時保留部が設けられていた。
【０００７】
つまり、預り貨幣を入金したのちに釣銭貨幣を出金するという入金優先処理の場合には入金額の承認行為が行われ、その結果次第では入金貨幣を返却することになるが故に前述の一時保留部が設けられているのが一般的である。また預り額をキー入力して、先ず釣銭貨幣を出金したのちに預り貨幣を収納するために入金するという出金優先処理の場合には、入金貨幣を返却する必要がない故に前記一時保留部が設けられていないのが一般的であった。
【０００８】
【発明が解決しようとする課題】
しかして従来では、前述の入金優先処理用、または出金優先処理用としてそれぞれ各別に貨幣入出金装置および金銭登録機が製造されており、これらを導入する業種の運用仕様に応じてそれに適当する貨幣入出金装置および金銭登録機を導入するようになされているが、一旦導入してしまうと後に運用を変更したい事態が生じても一切変更することができず、仕様面における自由度がなかった。
【０００９】
このほか製造、販売の両面において上記２種のシステムを製造しかつ保管しておかなければならないため、効率がきわめて悪いという問題があった。
【００１０】
【課題を解決するための手段】
本発明は、前述の入金優先処理と出金優先処理との双方を選択的に行えるようにし、従来技術の問題点の解消を図ることを課題としてなされたものである。
【００１１】
上記課題を解決するための手段として本発明は、オペレータによって操作される、貨幣の入出金処理を行う貨幣入出金装置と、金銭の登録および前記貨幣入出金装置に対し貨幣の入出金処理を行わせる金銭登録機とを具有する貨幣入出金処理システムにおいて、販売額、振込額等の必要入金額を決定する必要入金額決定手段と、オペレータが顧客から預かった貨幣である預かり貨幣の金額を入力する預かり金額入力手段と、オペレータにより投入された入金貨幣を受入れて１枚ずつ繰込む入金繰込み部と、この入金繰込み部から繰込まれた貨幣を識別する入金識別部と、この入金識別部で入金可と識別された貨幣を収納するとともに１枚ずつ繰出すことができる複数の収納部と、これら複数の収納部から繰出される貨幣を外部から取出し可能に保持する出金部と、預かり貨幣を入金したのちに釣貨幣を出金する入金優先モード、釣貨幣を出金したのちに預かり貨幣を入金する出金優先モードを切換える入出金優先モード切換手段と、この入出金優先モード切換手段により入金優先モードが指定されたときは、オペレータにより投入され前記入金識別部で入金可と識別された入金貨幣の金額と前記必要入金額決定手段により決定された必要入金額とを比較して釣貨幣を算出し前記収納部から必要な釣貨幣を出金させ、出金優先モードが指定されたときは前記預かり金額入力手段によって入力された預かり貨幣の金額と前記必要入金額決定手段により決定された必要入金額とを比較して釣貨幣を算出し、前記収納部から必要な釣貨幣を出金させる制御部と具備せしめたことにある。
【００１２】
またオペレータの種別を判別するオペレータ判別手段を設け、前記モード切換手段が前記オペレータ判別手段により判別されたオペレータの種別によって前記入金優先モードと出金優先モードとを切換えるようにする態様、前記入金優先モードの時間帯と出金優先モードの時間帯とを予め設定して記憶する時間帯設定手段を有し、前記モード切換手段が前記時間帯設定手段により設定された時間帯によって入金優先モードと出金優先モードとを切換えるようにする態様をとることができ、さらには入金された貨幣の金額に対し入金承認指示または返却指示を行う承認手段を設け、前記制御部は、前記モード切換手段により入金優先モードが指定されたときは前記入金識別部で入金可と識別された入金貨幣を前記複数の収納部の一つに一時保留し、前記承認手段により入金承認指示が行われたとき他の複数の収納部へ金種別に収納させ、出金優先モードが指定されたときは入金貨幣を一時保留することなく直接複数の収納部へ金種別に収納させる制御を行うようにする態様をとることができる。
【００１３】
【発明の実施の形態】
以下、本発明を図面に示す実施の形態を参照して説明する。
図１は本発明による貨幣入出金処理システムを備えた貨幣入出金装置の一実施形態の外観を示し、図２は紙幣入出金装置１および硬貨入出金装置２の各貨幣の流れを模式的に示しており、これら入出金装置１，２を装置本体３内に並列に組込んだ場合を例示している。
【００１４】
装置本体３の紙幣入出金装置１側の前面上部には、紙幣の入金口４、その下方位置に紙幣の出金口５が設けられ、上記入金口４の周辺に入力用操作キー群を備えた操作部６、表示部７等が配設され、硬貨入出金装置２側の装置本体３の前面上部には、硬貨の入金口８、その下方に釣銭硬貨またはリジェクト貨の出金口９等がそれぞれ配設された形態とされており、これら入出金装置１，２は金銭登録機１０に接続されて入出金管理される。
【００１５】
なお装置本体３の前面には前扉１１が横開き状に取付けられ、キー孔１２にキーを挿入して開閉操作されるようになっており、また上記金銭登録機１０はカードリーダ１３を備え、オペレータのＩＤカードを通して取扱責任を明確にするとともに後述するオペレータ判別手段として機能するようになされている。
【００１６】
前記紙幣入出金装置１および硬貨入出金装置２の概要を図２によって説明する。
【００１７】
紙幣入出金装置１は、前記紙幣入金口４に投入された紙幣を入金繰込み部１４により１枚ずつ繰込み、繰込まれた紙幣は入金識別部１５へ送られて入金紙幣の金種、正損等が識別され、その識別結果（金種）と繰込み順の順番とを対応させて制御部１６の記憶部１６ａに記憶される。
【００１８】
入金紙幣の一括一時保留時には、入金紙幣をすべて一括一時保留部１７へ収納し、入金に対し釣銭を要するときは上から下に高額から低額の順に配設された金種別収納部１８のいずれかから後述するモードにしたがって出金部１９へ出金し、一時保留紙幣を金種別収納部１８へ収納する。余剰の場合は回収カセット２０へ収納させる。また出金リジェクト紙幣は出金リジェクト部２１へ収納される。なお上記一括一時保留部１７は、使用量の多い金種の金種別収納部に使用することもできる。
【００１９】
上記釣銭紙幣の出金の流れは、入金搬送路２２の下流から出金搬送路２３へ送られ、出金識別部２４を通って出金部１９へ送り込まれる。
【００２０】
なお前記一括一時保留部１７に一括保留された紙幣を返却する場合は、一括一時保留部１７と出金部１９とを直接繋ぐ返却搬送路２５を通じて出金口５へ返却するようになされている。
【００２１】
硬貨入出金装置２は、回転円盤方式等による入金繰込み部２６に投入された硬貨は入金識別部２７において金種、正損等が識別され、入金可と判断された硬貨は硬貨を一列状に保留する硬貨通路からなる一括一時保留部２８に順番に並んだ状態で一時保留される。
【００２２】
収納する場合は、外径の小さい順に並ぶ金種別収納部２９（１円用、５円用、５０円用、１００円用、１０円用、５００円用の順）へ搬送路３０を通じて金種別に収納され、余剰の場合は収納部２９から出金して回収カセット３１へ収納される。
【００２３】
出金の場合は、搬送路３２を通じて出金部（出金口９）へ出金される。また一括一時保留部２８からの返却時には搬送路３３を通じて出金部９へ投出され、入金時のリジェクト貨も搬送路３３を通じて出金部９へ投出される。３４は硬貨入出金装置２の制御部、３４ａは記憶部を示す。
【００２４】
前記金銭登録機１０は、図３にブロック図として示すように、前記カードリーダ１３の他に、テンキー３５をはじめ入金キー３６、出金キー３７、返却キー３８、承認キー３９等の各種項目キー、およびモード切換スイッチ４０、時間帯設定キー４１を有する操作部４２と、金額や設定状態を表示する表示部４３と、前記操作部４２で入力された操作に基づいて販売額や振込額等の必要入金額を登録するとともに紙幣入出金装置１および硬貨入出金装置２の制御部１６，３４に対して入金指令、釣銭の出金指令、収納指令、返却指令等の各種の指令を出す制御部４４とを有している。
【００２５】
上記制御部４４の制御内容としては、操作部４２のモード切換スイッチ４０により「入金優先モード」が指定された場合には入金識別部１５，２７で入金可能と判定された入金貨幣の金額と販売額や振込額等の必要入金額とを比較して釣貨幣を算出し、前記収納部１８，２９から必要な釣貨幣を出金させ、「出金優先モード」が指定された場合には前記テンキー３５および入金キー３６により入力された預かり金額と前記必要入金額とを比較して釣貨幣を算出し、前記収納部１８，２９から釣貨幣を出金させるよう制御する。
【００２６】
上記モードの切換手段としては、前記のモード切換スイッチ４０を操作することにより「入金優先モード」か「出金優先モード」に切換える手段（図４（Ａ））、オペレータを判別（オペレータ個有のＩＤカードのカードリーダ１３による読取り、あるいはオペレータ個有の暗照番号の入力操作等）による切換え（図４（Ｂ））、前記時間帯設定キー４１の操作による切換え（図４（Ｃ））の方式がある。
【００２７】
「入金優先モード」が指定された場合の制御内容は、図５にそのフローを示すように、まず必要入金額が決定されたか否かが判断され（Ｓ1 ）、決定されていなければその状態で待機し、決定されれば入金口４，８に貨幣が投入されたか否かが判断される（Ｓ2 ）。未だ投入されていなければ貨幣の投入を促し、投入されていれば入金繰込み部１４，２５により貨幣の繰込み（Ｓ3 ）が行われ、繰込まれた貨幣の識別（Ｓ4 ）、入金貨幣の一括一時保留部１７，２８への保留（Ｓ5 ）が行われる。
【００２８】
次いで上記識別されて取込まれた入金額と前記必要入金額とが比較され（Ｓ6 ）、その比較の結果入金額が不足しているときは金額不足を表示し（Ｓ7 ）、入金額が必要入金額を満しているときはその入金額を表示して承認を促す（Ｓ8 ）。
【００２９】
次いで入金承認がなされたか否かの判断がなされ（Ｓ9 ）、不承認のときは一時保留していた貨幣を出金口５，９へ返却し（Ｓ10）、承認されたときは入金額と必要入金額とを比較して釣銭の要否を判断し（Ｓ11）、釣銭を要するときはその釣銭を収納部１８，２９から出金し（Ｓ12）、次いで前記ステップＳ５で一時保留した貨幣を金種別に収納部１８，２９へ収納（Ｓ13）して１回の取引が終了する。
【００３０】
「出金優先モード」が指定された場合の制御内容は、図６にそのフローを示すように、先ず必要入金額が決定されたか否かが判断され（Ｓ15）、決定されていなければその状態で待機し、決定されれば入金額のキー入力がなされたか否かが判断される。（Ｓ16）。
【００３１】
入金額がキー入力されていなければキー入力を促し、キー入力がなされていればその入金額と必要入金額とが比較され（Ｓ17）、入金額が不足の場合は入金額をクリアし（Ｓ18）、金額不足を表示する（Ｓ19）。
【００３２】
キー入力された入金額が必要入金額を上廻っているか否かが判断され（Ｓ20）、入金額が必要入金額を上廻っているときはその差額（釣銭）を算出し、釣銭として出金する（Ｓ21）。
【００３３】
次いで入金口４，８に貨幣が投入されたか否かが判断され（Ｓ22）、投入されていないときはその投入を促し、投入されていたときは入金繰込み部１４，２６により貨幣の繰込みが行われる（Ｓ23）。繰込まれた貨幣は識別部１５，２７により識別され（Ｓ24）、その識別結果に基づいて金種別に収納部１８，２９に収納（Ｓ25）されて１回の取引が終了する。
【００３４】
上記「入金優先モード」と「出金優先モード」の選択は貨幣入出金装置を導入する場所に応じて決定されるが、例えば高額な貨幣で取引が行われるＪＲの緑の窓口などでは入金優先モードが適し、スパーマーケットのレジなどでは顧客を早くさばくことが必要であることから出金優先モードが適している。このほかカードリーダ１３のようにオペレータの判別手段を備える場合は、装置を取扱う人が装置の管理者でない人（例えばアルバイト）では入金優先モードとなるようにして現金を先に取込むようにし、不正やトラブルを防止するようになされている。
【００３５】
また時間帯設定キー４１を備える場合は、指定した時間帯のみ入金優先または出金優先モードとして使用することができ、顧客が混み合う時間帯は出金優先モードとし、すいている時間帯は入金優先モードとして両モードを使い分けるようにすることができる。入金優先モードは処理時間はかかっても厳正な現金管理ができる。
【００３６】
図７は上記紙幣入出金装置１の具体的構成例の縦断側面視の概要図を示すもので、前記紙幣入金口４に続いて設けられてる繰込み部１４は、紙幣を水平方向に搬送するベルト４６と、このベルト４６の上面に転接され紙幣を１枚ずつに分離する逆転ローラ４７と、上記搬送ベルト４６の上面上の紙幣の浮き上がりを防ぐため先端がバネ４８の付勢により奥側に向けて下降するよう枢支された押え板４９等で構成され、上記搬送ベルト４６の駆動は専用のモータＭ１により行われる。
【００３７】
前記搬送ベルト４６の後端に続いて入金紙幣の金種、正損等を識別して入金の可否を判定する入金識別部１５を有する識別搬送路５０が側面視コ字状を画くようにベルト群により構成されており、この識別搬送路５０の末端は紙幣入出金装置１の前後方向中央位置まで延び、ここから垂直方向に配設された入金搬送路２２に続いている。
【００３８】
上記入金搬送路２２の下端は装置本体３の底部近くで折り返されて該搬送路２２と平行して垂直方向上方に延びる出金搬送路２３に続いており、その折り返し部の直後の出金搬送路２３中に出金識別部２４が設けられている。この出金搬送路２３の上方は前記繰込み部１４と入金識別部１５との間の識別搬送路５０の一部を構成している。そしてこれら搬送系は専用のモータＭ２により駆動される。
【００３９】
前記紙幣入金口４の直下位置には紙幣出金部１９が、さらにその直下位置にはリジェクト箱２１が配設され、このリジェクト箱２１の下方位置には紙幣の回収カセット２０が前記前扉１１を開けて出し入れ可能に設けられている。
【００４０】
上記出金部１９は、前記出金口５の開口部上縁のレベルと略一致する位置が下部走行面とされ前後のプーリー間に張装されたベルト５１と、このベルト５１の直下位置にあって図示しないソレノイド等の駆動手段により駆動される昇降機構５２を介して水平姿勢のまま上下動する受板５３とを有し、上記出金部１９の入口側には上記受板５３上に送入される紙幣の後端をはたき落として受板５３上に良好に集積させるための羽根車５４が設けられている。また上記受板５３の前後位置には、周面の一部が受板５３の上面から突出するようにローラ５５，５５が軸支されており、前記ベルト５１の駆動により紙幣がスムーズに出金口５へその一部が突出して取出し可能とされるようになっている。
【００４１】
前記リジェクト箱２１は、上面が開放されたトレイ状の収納カセットからなっており、装置本体３の前扉１１を開けることにより外部に引出せるようになっている。
【００４２】
上記リジェクト箱２１の入口部には、前記出金部１９のベルト５１の入口側端部位置から切換爪５６の切換えによって該出金部１９の紙幣を逆送して導くためのベルト５７，５８が設けられており、出金紙幣のリジェクト時にその紙幣をリジェクト箱２１内に収納することができるように構成されている。上記出金部１９のベルト５１、羽根車５４等は専用のモータＭ３により駆動される。
【００４３】
前記入金搬送路２２に対し装置本体３の奥側には、紙幣の収納および１枚ずつの繰出しができる一括一時保留部１７を最上位置とし、その下方に金額の大きい順に金種別収納部６０（万円紙幣用）、６１（５千円紙幣用）、６２（千円紙幣用）が配設されており、上記一括一時保留部１７の紙幣の入出に共用される入出口部６３は前記出金部１９の紙幣入口部６４に前記入金搬送路２２および出金搬送路２３を間にして互いに正対する位置とされている。
【００４４】
上記一括一時保留部１７および各金種別収納部６０，６１，６２は同じ構成を有するので、その一つ（一括一時保留部１７）を代表して概略を説明すると、筐体６５内の略中央位置に正逆回転自在で周面に紙幣が巻付けられる単一の回転ドラム６６が軸支され、この回転ドラム６６の周縁に２種のテープ６７，６８が共に巻付けられ、これらテープのうち一方のテープ６７は筐体６５の入出口部６３の内側上部に位置するプーリ６９、中間プーリー７０を経由して巻取軸７１に巻付けられ、他方のテープ６８は前記入出口部６３の内側下部に位置するプーリー７２、中間プーリー７３を経由して別の巻取軸７４に巻付けられている。そして各部は専用のモータＭ４により正逆駆動される。
【００４５】
したがって紙幣を収納するときは、回転ドラム６６が正転（図７において矢印方向に回転）して入出口部６３から送入される紙幣をテープ６７，６８間に挟み込み、回転ドラム６６の周面に順次巻付けて収納し、紙幣を繰出すときは回転ドラム６６が逆転駆動（矢印とは反対方向に回転）してテープ６７，６８間に挟持されていた紙幣をプーリー６９，７２間から入出口部６３へ送出するようになっている。
【００４６】
前記入出口部６３の直近の内、外位置には紙幣の入出を検知するセンサＳ，Ｓが通路を挟んで配設され、その下方位置の筐体６５にはコネクタ７５が設けられており、機体３側のコネクタ７６と接続されている。
【００４７】
上記一括一時保留部１７、金種別収納部６０，６１，６２はいずれも専用のモータＭ４，Ｍ５，Ｍ６，Ｍ７、センサＳ、およびこれらの制御部を備えた独立したユニット構成とされており、したがって前記のコネクタ７５，７６により接続することにより他のユニットと自由に変換が可能とされている。また前述の入金繰込み部１４、紙幣出金部１９、回収カセット２０もユニット化されており、前記と同様にコネクタ７７，７８，７９と機体３側のコネクタ８０，８１，８２とにより接続されている。
【００４８】
前記回収カセット２０は収納専用とした場合を示しており、上部一側に入口部８３が開口され、その内部には上下対をなすベルト８４，８５が設けられ、上部のベルト８４の内端のプーリー軸には周面が歯車状の凹凸面とされたギザローラ８６が設けられている。またこのギザローラ８６の下方位置にはドラム８７の周面接線方向に可撓性のある材料製の多数の羽根を有する羽根車８８が図７において時計方向に回転自在に設けられ、この羽根車８８の羽根間に紙幣を受入れて反転させ、下方へ放出して回収カセット２０内に集積するようになっており、羽根間に紙幣を受入れた際に紙幣の後端がカールしているような場合には前記ギザローラ８６の周面の凹凸によってその紙幣の後端を押し上げ、次位の紙幣の先端を羽根間に確実に受取らせるようになっている。上記ベルト８４，８５、羽根車８８等は専用のモータＭ８により駆動される。またこの回収カセット２０は収納専用であるが、繰出し機構を備えて収納・繰出しの双方を行うようにしたものを用いるようにすることも可能である。なお図７においてＰは収納された紙幣を示す。
【００４９】
前記一括一時保留部１７、金種別収納部６０，６１，６２の各入出口部６３，６３…および回収カセット２０の入口部８３には、入金搬送路２２および出金搬送路２３に連通、非連通とする切換機構８９がそれぞれ設けられている。
【００５０】
上記切換機構８９は上記各部において同じ構成を有するので、入金搬送路２２側の一つを図８に示す拡大図により説明すると、入出口部６３の外面側の上下部に位置するプーリー９０，９１と、入金搬送路２２を構成するよう各収納部１７，６０，６１，６２にわたって延びるベルト９２に対設され前記プーリー９０，９１間の間隔より大きい間隔をおいて配設されたプーリー９３，９４とに前記ベルト９２に対置されるベルト９５，９６が巻回され、これらベルト９５，９６の前記プーリー９０，９３および９１，９４間の走行部の間には三角形状の空間部９７が形成されており、プーリー９０，９１に近い位置のベルト９５，９６間には両ベルト９５，９６に接する中間プーリー９８が配設されている。
【００５１】
上記中間プーリー９８の軸９９上には切換爪１００が設けられており、また前記プーリー９３の直下位置の前記空間部９７内には別の切換爪１０１が軸１０２により支持して設けられている。
【００５２】
前記切換爪１００は、バネ１０３による弱い付勢によりその先端１００ａが図８の実線図示のように紙幣送入路側に偏倚されており、紙幣送出路側は常時開放状態を保つようになっている。したがって紙幣が送入される場合はその紙幣自身が切換爪１００の先端１００ａをバネ付勢に抗し押しのけて進入することになり、出金時には矢印口のように通過することができる。
【００５３】
他方の切換爪１０１は、ソレノイド１０４により切換動作されるもので、詳細は図示を省略しているが、紙幣の送入時にはソレノイド１０４が励磁されて伝達機構１０５を通じ切換爪１０１の先端１０１ａが図８の鎖線図示のようにベルト９５から離間して紙幣を送入路側へ矢印イのように導き、解磁時には実線図示の位置へ復帰して入金搬送路２２を搬送される紙幣を直進させるようになっている。図８において１０６，１０７はガイド部材を示す。なお上記切換機構８９は図８の例に限られるものではなく、要すれば紙幣の通路を切換え得るものであれば他の構成によるものであってもよい。
【００５４】
前記出金部１９と一括一時保留部１７とが向き合う位置の入金搬送路２２と出金搬送路２３との間にはプーリー１０８が設けられ、このプーリー１０８の下部位置に入金搬送路２２と出金搬送路２３とを連通させることのできる切換爪１０９が軸により揺動可能に設けられ、この切換爪１０９が入金搬送路２２に交差したとき入金搬送路２２から出金部１９の直前位置の出金搬送路２３へ直接通じる返却搬送路２５が形成されるようになっている。この切換爪１０９の切換は図示しないソレノイド等により一括一時保留紙幣の一括返却指令および入金時の入金リジェクト紙幣のリジェクト箱への収納指令に基づいて行われる。その直上方の出金部１９の入口部６４に対応する位置には切換爪１１１が設けられており、出金時に切換って出金搬送路２３と出金部１９とが連通される。
【００５５】
制御部１６は、前記一括一時保留部１７で保留される紙幣の金種と順番とを記憶する記憶部１６ａを有し、前記一括一時保留部１７の紙幣を前記金種別収納部６０〜６２へ収納するとき前記記憶部１６ａに記憶された金種と順番とに応じて紙幣を対応する金種別収納部へ収納させる制御を行う。
【００５６】
図７において△印は各部に設けられて紙幣の通過を検知し、所定の信号を得るためのセンサを示す。
【００５７】
次に図７の紙幣入出金装置１が「入金優先モード」に設定された場合の作用を図９を参照しつつ説明すると、紙幣の入金に際しては、入金口４に入金しようとする紙幣を一括投入すると、入金繰込み部１４のベルト４６、ローラ４７がモータＭ１により、また搬送系（識別搬送路５０、入金搬送路２２、出金搬送路２３）はモータＭ２によりそれぞれ駆動され、入金繰込み部１４に投入された紙幣はベルト４６、ローラ４７により１枚ずつ繰込まれ、入金識別部１５により金種が識別され、その識別結果（金種）と繰込み順の順番を対応させて記憶部１６ａに記憶される。
【００５８】
一方、一括一時保留時には、一括一時保留部１７の入出口部６３の切換機構８９の切換爪１０１がソレノイド１０４の作動により図８の鎖線図示位置へ切換えられ、前記の繰込まれた紙幣は図８の矢印イの経路を辿って入出口部６３へ送り込まれ、モータＭ４により正転駆動する回転ドラム６６の周面にテープ６７，６８に挟まれた状態で巻付けられて一括一時保留部１７に収納される（図９（Ａ））。
【００５９】
上記入金に対し釣銭紙幣を要するときは、釣銭紙幣を金種別収納部６１，６２から必要金額分出金部１９へ出金する。
【００６０】
上記釣銭出金の流れは、切換機構８９の切換爪１００は常時開となっているので入金搬送路２２の下流から出金搬送路２３へ送られ、出金識別部２４を通って出金部１９へ送り込まれる。この出金部１９へ入った紙幣は受板５３上へ堆積され、所定の金額に達したとき昇降機構５２により受板５３が上昇し、紙幣の上面がベルト５１の下面に圧接され、モータＭ３によるベルト５１の正転回動により紙幣は出金口５へ掴める程度の長さ突出した状態で停止し、釣銭出金の動作を完了する（図９（Ｂ））。
【００６１】
そして、釣銭の出金が完了したのちに前記一括一時保留部１７に一括収納された紙幣の金種別収納部６０，６１，６２への分類収納が行われ、その流れは、その回転ドラム６６、テープ６７，６８を逆転駆動して１枚ずつ繰出し、その紙幣に該当する金種別収納部６０（１万円用）へ切換爪１０１の切換えによって図８の矢印イのように送り込まれ、その内部の回転ドラム６６に巻取って収納される。なお一括一時保留紙幣の枚数が複数であるときは、その金種と収納順を記憶部１６ａが記憶しており、その記憶に基づいて金種別収納部６０〜６２へ分類して収納される（図９（Ｃ））。
【００６２】
上記一括一時保留部１７に一括保留された紙幣を返却する場合は、切換爪１０９が図７において反時計方向に揺動し、返却搬送路２５が開通して一括一時保留部１７から繰出される紙幣はこの返却搬送路２５を通って出金部１９の紙幣入口部６４の直近の出金搬送路２３へ送り込まれ、その入口部６４の切換爪１１１の切換わりにより出金搬送路２３から出金部１９内へ出金識別部２４を通ることなく直接送入され、前記釣紙幣出金時と同様にして出金口５へ出金される。
【００６３】
上記一時保留紙幣の返却時には、一括一時保留部１７から最短コースを辿って出金部１９へ戻すことができ、この際に短時間で返却することができるとともに、搬送路が短くしかもジャムが発生しやすい識別部を通らないので返却時にジャム等のトラブルの発生する確率も低くなる。
【００６４】
次に図７の紙幣入出金装置１が「出金優先モード」に設定された場合の作用を図１０を参照しつつ説明すると、出金優先モードの場合は入金優先モードの場合と違って、紙幣の入金の前にまず釣銭紙幣の出金が行われる。そのときの釣銭出金の流れは、入金優先モードの場合の釣銭出金の流れと同様になる（図１０（Ａ））。
【００６５】
その後、入金紙幣が入金口４に一括投入されると、入金優先モードの場合の繰込みと同様に繰込まれ、入金識別部１５により金種が識別され、その識別結果に基づいて該当する金種別収納部６０，６１，６２へ分類収納される（図１０（Ｂ））。
【００６６】
なお、「出金優先モード」の場合は上述のように入金紙幣を一時保留することなく直接金種別収納部６０，６１，６２へ分類収納するので、一括一時保留部が不要になるためその一括一時保留部を金種別収納部６０，６１，６２の中で満杯になった金種の収納部として使用するようにしてもよいし、あるいは予め使用量の多い金種の第二の収納部として設定しておくようにしてもよい。
【００６７】
【発明の効果】
以上説明したように本発明によれば、貨幣入出金装置において入金貨幣を識別してその貨幣を取込んでから釣銭を出金する入金優先モードと、入金額を入力した段階で釣銭を出金する出金優先モードとを備えるので、貨幣入出金装置の導入場所に最も適する処理モードを使用することができ、顧客に対し無用な持ち時間を与えることがなく、スピーディに処理することができるとともに安全な処理を図ることができる。また入金優先処理用、出金優先処理用の２種類の貨幣入出金装置および金銭登録機を用意する必要がないので、製造販売の効率を著しく高めることができるとともに、途中で仕様の変更の要求があっても即刻対応することができる。
【図面の簡単な説明】
【図１】本発明の一実施形態を示す外観図。
【図２】図１の内部を模式的に示す構成図。
【図３】図１の金銭登録機の制御系を示すブロック図。
【図４】（Ａ）〜（Ｃ）は請求項１〜３に対応するモード切換手段例におけるフローチャート。
【図５】入金優先モード時のフローチャート
【図６】出金優先モード時のフローチャート。
【図７】図１における紙幣入出金装置の一実施形態を示す略示縦断側面図。
【図８】図７における切換機構の拡大図。
【図９】（Ａ）〜（Ｃ）は図７の入金時の入金優先モード時の紙幣の流れを示し、（Ａ）は入金時、（Ｂ）は釣銭出金時、（Ｃ）は分類収納時の紙幣の流れを示す説明図。
【図１０】（Ａ），（Ｂ）は同、出金優先モード時の紙幣の流れを示し、（Ａ）は釣銭出金時、（Ｂ）は分類収納時の紙幣の流れを示す説明図。
【符号の説明】
１  紙幣入出金装置
２  硬貨入出金装置
３  装置本体
４  紙幣入金口
５  紙幣出金口
８  硬貨入金口
９  硬貨出金口
１０  金銭登録機
２２  入金搬送路
２３  出金搬送路
２５  返却搬送路
６０〜６２  金種別収納部
８９  切換機構
【図１】
0004128244.tif 000002
【図２】
0004128244.tif 000003
【図３】
0004128244.tif 000004
【図４】
0004128244.tif 000005
【図５】
0004128244.tif 000006
【図６】
0004128244.tif 000007
【図７】
0004128244.tif 000008
【図８】
0004128244.tif 000009
【図９】
0004128244.tif 000010
【図１０】
0004128244.tif 000011